(57)【要約】【課題】最初は偏心して配置されたフランジが、自動的にその中心が揃えられるような、プロフィールクランプを提供することである。【解決手段】プロフィールセグメントは、断面が反対のトラフ型又はカップ型である輪郭を有する。クランプが締め付けられるとき、クランプによって接続される２つの管（２０）の端部に備えられるフランジ（２１）が、プロフィールセグメント（２）の広がった側壁（１３）間で互いに対して押圧される。底部（１６）を備えるギャップ（９）が、隣接するプロフィールセグメント（２）間に提供される。各ギャップ間には、プロフィールセグメント（２）の底部（１７）の厚さよりも大きいギャップ（９）の底部（１６）からの隔たりを有して弾性のある金属帯片（１０）が提供され、クランプの面に交差するように延び、左右の腕部（１８）でギャップ（９）の底部（１６）に取り付けられる。【選択図】図２
2006132766.tif 000002
【特許請求の範囲】
【請求項１】
プロフィールセグメント（２）を備えるプロフィールクランプであって、前記プロフィールセグメント（２）は、前記クランプの円周方向に連続して延び、少なくとも１つの締め付け装置（３）によって締め付け可能であり、
前記プロフィールセグメント（２）は、本質的に反対のトラフ型の輪郭を有し、
前記プロフィールセグメント（２）は、それぞれ、広がった側壁（１３）を有し、該広がった側壁（１３）は、前記クランプによって接続される管（２０）の端部に提供される、同一の直径をもつフランジ（２１）を、間に受けるように適合され、
前記フランジ（２１）は、前記クランプが締め付けられるとき、前記側壁（１３）によって互いに対して押圧され、
それぞれ底部（１６）を備えるギャップ（９）が、隣接する前記プロフィールセグメント（２）間に提供されるプロフィールクランプであって、
前記プロフィールセグメント（２）の底部の厚さよりも大きい前記ギャップ（９）の底部からの隔たりを有して各前記ギャップ（９）に取り付けられる、弾性のある金属帯片（１０）をさらに備え、
前記金属帯片（１０）は、前記クランプの面に交差するように延び、前記金属帯片の左右の腕部（１８）で前記ギャップ（９）の前記底部（１６）に固着される
ことを特徴とするプロフィールクランプ。
【請求項２】
前記腕部（１８）は、前記各ギャップ（９）の前記底部（１６）の縁（１９）の１つに向かって広がり、前記腕部（１８）は前記縁（１９）のまわりに緩く延びることを特徴とする請求項１に記載のプロフィールクランプ。
【請求項３】
前記クランプの締め付けられていない状態で、前記クランプの前記隔たりは、前記プロフィールセグメント（２）の前記底部（１７）の厚さの２倍よりも大きく、前記プロフィールセグメント（２）の前記側壁（１３）の半径方向の長さよりも小さいことを特徴とする請求項１又は２に記載のプロフィールクランプ。
【請求項４】
前記ギャップ（９）は、本質的に同じ円周間隔で配置されることを特徴とする請求項１から３のいずれか１項に記載のプロフィールクランプ。
【請求項５】
３つのギャップが提供されることを特徴とする請求項１から４のいずれか１項に記載のプロフィールクランプ。
【請求項６】
前記プロフィールセグメント（２）は、締め付けクロージャ（３）によって締め付けることのできる柔軟な締め付け帯片（１）の内側に取り付けられ、該締め付け帯片（１）は、前記ギャップ（９）の底部（１６）を形成することを特徴とする請求項１から５のいずれか１項に記載のプロフィールクランプ。
【発明の詳細な説明】
【技術分野】
【０００１】
本発明は、プロフィールセグメントを備えるプロフィールクランプに関し、該プロフィールセグメントは、クランプの円周方向に連続して延び、少なくとも１つの締め付け装置によって締め付けられる。プロフィールセグメントは、本質的に断面が反対のトラフ型又はカップ型である輪郭（profile）を有する。クランプが締め付けられるとき、該クランプによって接続される２つの管の端部に備えられるフランジが、プロフィールセグメントの広がった側壁間で、互いに対して押圧される。それぞれ底部を備えるギャップが、隣接するプロフィールセグメント間に提供される。
【背景技術】
【０００２】
この種の、例えば、譲受人のパンフレットNORMA（登録商標）Schellen（clamps）、１９８０年５月号、ｐ．１、又は、独国特許番号  １９８  １８  ５６２  Ｃ１の明細書により既知であるプロフィールクランプを用いるとき、以下のことがときに起こりうる。すなわち、プロフィールクランプを管のフランジの周りに置く前に、接続される管が互いに対して半径方向にいくらかずれて、プロフィールセグメントの側壁の傾きが、クランプの領域において、フランジ、従って管の中心を揃えるのに充分でない、ということである。
【発明の開示】
【発明が解決しようとする課題】
【０００３】
本発明の主たる目的は、最初は偏心して配置されたフランジが、自動的にその中心が揃えられるような、上記タイプのプロフィールクランプを提供することである。
【０００４】
本発明によると、各ギャップに、プロフィールセグメントの底部の厚さよりも大きいギャップの底部からの隔たりを有して、弾性のある金属帯片が提供され、該金属帯片は、クランプの面に交差するように延び、金属帯片の左右の腕部でギャップの底部に取り付けられる。
【課題を解決するための手段】
【０００５】
本発明による構成の結果、最初に偏心して配置されたフランジは、プロフィールクランプの締め付けの間、金属帯片の少なくとも１つと、円周で接触する。その結果、プロフィールクランプがさらに締め付けられるとき、フランジは、最終的に、同軸及び中央の位置に押し出される。フランジの中心が揃えられたが、該フランジが、まだ互いに又はフランジ間に置かれる密封リングにきつく接していないとき、金属帯片は、該金属帯片を受けるギャップの底部に向かって弾力的に屈曲することができ、フランジは互いに又はフランジ間に配置される密封リングにきつく接する。
【０００６】
好ましい特徴によると、腕部は、各ギャップの底部の縁の１つに向かって広がり、その縁のまわりに緩く延びる。プロフィールクランプの締め付けの間、金属帯片の屈曲が、中心が揃えられたフランジを、互いに対して又は該フランジ間に配置される密封リングに対してきつく押圧するのに充分でない場合、腕部は、フランジの圧力のもとで屈曲し、離れて広がることもできる。
【０００７】
有益な特徴によると、クランプの締め付けられていない状態での上記の隔たりは、プロフィールセグメントの底部の厚さの２倍よりも大きく、該プロフィールセグメントの側壁の半径方向の長さよりも小さい。この隔たりによって、金属帯片あるいはその腕部を充分に屈曲させることが可能になり、フランジは互いに対して又は該フランジ間に配置される密封リングに対してきつくもたれる。
【０００８】
好ましくは、ギャップは、本質的に同じ円周距離で配置され、少なくとも３つのギャップが提供される。その結果、たとえ少ない数、例えば３つのギャップ及び金属帯片が提供されるのみだった場合でも、フランジの中心を揃えるために、金属帯片は、フランジに対して本質的に均一の圧力をフランジの円周にわたって及ぼす。
【０００９】
加えて、プロフィールセグメントは、締め付け装置によって締め付けることができ且つギャップの底部を形成する柔軟な締め付け帯片の内側に、固着される。プロフィールセグメントは、柔軟な締め付け帯片よりも硬い材料であってもよく、流体の高い圧力にも耐えうる。その流体というのは、管を通り、互いから軸方向に離れるようにその管を押し、プロフィールセグメントの側壁を屈曲させやすいものである。
【００１０】
本発明を特徴づける新規性の様々な特徴が、開示の一部を形成した添付の請求項に詳細に指摘されている。本発明とその動作利点、使用による達成される特定の目的のよりよい理解のために、本発明の好ましい実施形態が図解され説明されている図及び記述事項に、参照が付されている。
【発明を実施するための最良の形態】
【００１１】
図１から図３で示されているプロフィールクランプは、弾力的に柔軟な金属である締め付け帯片１と、ドット溶接によって固着される比較的硬い材料である３つのプロフィールセグメント２と、締め付けねじ４を備える締め付けクロージャ３と、２つ１組で互いに挿入され、且つ締め付け帯片１の端部によって形成されるループ５に回転するように囲まれている接合スリーブ７及び８と、プロフィールセグメント２間のギャップ９に配置されるばね鋼である３つの金属帯片１０とから成り、ギャップ９及び金属帯片１０は、本質的に同一の円周間隔を有する。
【００１２】
ループ５は、締め付け帯片１の中間部分の外壁上に、ドット溶接によって、端部で溶接されており、円周方向に延びる長みぞを備え、締め付けねじ４はその長みぞを通って延びている。締め付けねじ４のヘッド部１１の側面上に位置する接合スリーブ７、８は、ねじ山なしの穴を備え、該穴は締め付けねじ４のねじ山付きシャフトを受ける。他方のループ５に配置される接合スリーブ７、８は、ねじ山付きの穴を備え、該穴で締め付けねじ４が締め付けられる。
【００１３】
プロフィールセグメント２は、図２及び図３の断面図をみればわかるとおり、反対のトラフ又はヒップ型の屋根と同様の輪郭を有し、その広がった側壁は、半径方向内側の縁部分１４で、互いに軸方向に対向して屈曲している。
【００１４】
図１によるプロフィールクランプの締め付けられていない状態において、各金属帯片１０は、まっすぐな中間部分１５を有する。この部分１５は、締め付け帯片１で形成されるギャップ９の底部１６から隔たりがあり、その隔たりは、プロフィールセグメント２の底部１７の厚さよりも大きい、好ましくは２倍であり、プロフィールセグメント２の側壁１３の半径方向の長さよりも小さい。締め付け帯片１の厚さは、プロフィールセグメント２の材料の厚さとほぼ同じである。金属帯片１０は、クランプの面に交差するように延び、左右の腕部１８で各ギャップ９の底部１６に取り付けられる。腕部１８は、各ギャップ９の底部１６の縁１９のうちの１つに対して広がり、各縁１９の周りに延び、縁１９の上に載る。
【００１５】
プロフィールクランプ１は、２つの管２０を同軸で接続するために用いられ、該２つの管はそれぞれ、接続される端部にフランジ２１を備える。それらフランジ２１は、同一の外径を持ち、最初に半径方向外側に向かって屈曲し、次に内側に向かって屈曲している。締め付けの前に、プロフィールクランプは、フランジ２１の周りに置かれる。フランジ２１の周りにプロフィールクランプを置く前に、図２のように、管２０が互いに対して半径方向にわずかにずれていると、一方のフランジ２１は、最初、金属帯片１０の１つに円周が当たり、他方のフランジ２１は、その他の２つの金属帯片１０に円周が当たる。プロフィールクランプ２０がさらに締め付けられると、フランジ２１は、互いに対して半径方向に移動して、両方のフランジ２１がすべての金属帯片１０に対してもたれるようになる。そうしながら、金属帯片１０の金属部分１５は、図３のように、半径方向外側に屈曲することができ、一方で腕部１８は、縁１９の周りに緩く延びているだけなので、さらに離れて広がり、縁１９に沿って滑ることができる。フランジ２１、及び同時に該フランジ２１を備える管２０の端部分は、中心が揃えられる。さらに、フランジ２１は、プロフィールセグメント２の広がった側壁１３によって、互いに対してきつく押圧される。必要であれば、フランジ２１間に密封リングが配置されてもよい。
【００１６】
図で示されているプロフィールクランプは、例えば、３つより多い金属帯片１０及びそれに同数のギャップ９、例えば４つ又は５つ、を提供することによって、改良されてもよい。それらはプロフィールクランプの内周にわたって分布し、その円周の間隔は同一でなくてもよい。ほぼ同じであれば充分である。さらに、金属帯片１０は、例えば上述の独国特許で既知の、プロフィールセグメントが締め付け帯片と一体型の１つの部品で作られるようなプロフィールクランプでも、用いることができる。
【００１７】
発明的な原理を示すために、本発明の特定の実施形態が示され記述されているが、本発明は、そのような原理から逸脱することなくその他の方法によっても同様に実施されうることが理解されるであろう。
【図面の簡単な説明】
【００１８】
【図１】本発明によるプロフィールクランプの実施例の側面図である。
【図２】図１の断面線ＩＩ−ＩＩに沿った大きな規模の断面図であり、プロフィールクランプの締め付けの前に、接続される２つの管が最初に偏心している配置を示している。
【図３】図１の断面線ＩＩ−ＩＩに沿った大きな規模の断面図であり、管の周りに置かれたプロフィールクランプが締め付けられた状態を示している。
【符号の説明】
【００１９】
１  締め付け帯片
２  プロフィールセグメント
３  締め付けクロージャ
４  締め付けねじ
５  ループ
７、８  接合スリーブ
９  ギャップ
１０  金属帯片
１１  ヘッド部
１３  側壁
１４  縁部分
１５  まっすぐな中間部分
１６  ギャップの底部
１７  プロフィールセグメントの底部
１８  腕部
１９  ギャップの底部の縁
２０  管
２１  フランジ
【図１】
2006132766.tif 000003
【図２】
2006132766.tif 000004
【図３】
2006132766.tif 000005
【外国語明細書】
2006132766.tif 000006
2006132766.tif 000007
2006132766.tif 000008
2006132766.tif 000009
2006132766.tif 000010
2006132766.tif 000011
2006132766.tif 000012
2006132766.tif 000013
2006132766.tif 000014
2006132766.tif 000015
2006132766.tif 000016
2006132766.tif 000017
2006132766.tif 000018
2006132766.tif 000019
2006132766.tif 000020
2006132766.tif 000021
2006132766.tif 000022